(57)【要約】【課題】枠部材に嵌め込まれた透明体のがたつきを防止する。【解決手段】複層ガラス１２の辺部が挿入される凹溝４６が形成された枠部材４４と、第１側部５２と第２側部５４とを有する断面コ字状に形成されたコーナージョイント５０とから外枠４２を構成する。枠部材４４およびコーナージョイント５０は、該ジョイント５０を枠部材４４に挿入した際に、凹溝４６を構成する前壁部４６ａに外側から第１側部５２が当接すると共に、枠部材４４の後壁面４４ｂと第２側部５４とが離間した状態で対向するよう形成する。枠部材４４とコーナージョイント５０とをネジ３０で締結することで、第１側部５２が変位して前壁部４６ａを押圧し、該前壁部４６ａが押圧変形することで、凹溝４６に挿入されている複層ガラス１２の辺部が両壁部４６ａ,４６ｂにより押圧状態で挟持される。【選択図】図２
2005068875.tif 000002
【特許請求の範囲】
【請求項１】
所要形状の透明体(12)と、該透明体(12)の各辺部が挿入される凹溝(46)が形成された複数の樹脂製の枠部材(44)と、前記透明体(12)の各辺部に外嵌された各枠部材(44)の端部同士を連結するジョイント(50)とから構成される扉の枠構造において、
前記ジョイント(50)は、前記枠部材(44)における凹溝(46)を画成する一方の壁部(46a)に外側から当接する第１側部(52)と、該凹溝(46)を画成する他方の壁部(46b)の側に位置して、枠部材(44)に固定手段(30)を介して固定される第２側部(54)とを有し、
前記第２側部(54)を枠部材(44)に固定する際に、前記第１側部(52)を他方の壁部(46b)側に変位させることで、該第１側部(52)により一方の壁部(46a)を他方の壁部(46b)に向けて押圧変形させて、前記凹溝(46)に挿入されている透明体(12)の辺部を両壁部(46a,46b)により押圧状態で挟持するよう構成した
ことを特徴とする扉の枠構造。
【請求項２】
前記凹溝(46)における両壁部(46a,46b)の間に位置する底部(46c)に、前記透明体(12)の外周面に向けて突出する凸部(64)が形成され、前記一方の壁部(46a)が他方の壁部(46b)に向けて押圧変形されるのに伴って、該凸部(64)が透明体(12)の外周面に向けて押圧されるよう構成した請求項１記載の扉の枠構造。
【発明の詳細な説明】
【技術分野】
【０００１】
この発明は、冷蔵庫やショーケース等の貯蔵庫における扉の枠構造に関し、更に詳細には、ガラス等の透明体の外周縁を保持する複数の枠部材を、ジョイントにより相互に連結することで構成した扉の枠構造に関するものである。
【背景技術】
【０００２】
食品や飲料品等の物品を冷蔵・冷凍または温蔵して保存する貯蔵庫として、物品出し入れ口を閉成する扉に、図４に示すようなガラス扉１０を用いることで、内部に収納した物品を見通せるようにしたショーケースが、ショッピングセンタやコンビニエンスストア等に設置されている。前記ガラス扉１０は、図４に示すように、矩形状の複層ガラス(透明体)１２と、該複層ガラス１２の外周縁を保護する外枠２０とから構成され、該外枠２０には、このガラス扉１０の開閉時に利用される把持手段となる把手３２が配設されている。そして、前記ガラス扉１０は、その上部および下部に配設された図示しないヒンジ部材を介してショーケース本体に対して回動自在に取付けられ、前記物品出し入れ口を開閉可能に閉成するよう構成される。
【０００３】
前記複層ガラス１２は、例えば図５に示すように、スペーサ１６を介して２枚のガラス板１４,１４を重ね合わせて形成される。具体的には、複層ガラス１２は、一対のガラス板１４,１４の間に介在させたスペーサ１６により、対向するガラス板１４,１４の間に空気層１７を形成し、熱伝導率が低い空気により内外の熱交換を抑制して断熱性を向上させたものである。なお、前記複層ガラス１２の周縁部には、シール材１８が貼着されて前記空気層１７を密封している。
【０００４】
また図６に示すように、前記複層ガラス１２の外周縁に配設される外枠２０は、該複層ガラス１２の各辺部に対応して配設された複数の枠部材２２と、この枠部材２２を互いに連結する複数のコーナージョイント(ジョイント)２８とから構成される(例えば、特許文献１参照)。前記枠部材２２は、両端が開口された中空の筒状体であって、前記複層ガラス１２の各辺部に対応する寸法に設定されると共に、複層ガラス１２の辺部に対向する内側面には、その長手方向に亘って凹溝２４が凹設される。この凹溝２４の幅寸法は、前記複層ガラス１２の挿入を許容し得る寸法に設定してある。また前記コーナージョイント２８は、前記枠部材２２の開口端から挿入し得る寸法で断面コの字状に形成されると共に、外形がＬ字状に形成され、コの字状の開放端が互いに内方に臨むようになっている。
【０００５】
そして、図７に示すように、前記複層ガラス１２の左右両側の辺部に、該辺部を凹溝２４に挿入した状態で前記枠部材２２を夫々取付けると共に、上および下の枠部材２２に予めコーナージョイント２８,２８の一端部を挿入し、左右の枠部材２２,２２に上下方向からコーナージョイント２８,２８の他端部を挿入することで、複層ガラス１２の外周縁は凹溝２４に嵌合した状態で４本の枠部材２２により保持される。しかる後に、前記各コーナージョイント２８と対応する枠部材２２とをネジ３０で夫々固定することで、各枠部材２２,２２はコーナージョイント２８を介して連結され、前記複層ガラス１２は外枠２０に固定される(図５参照)。なお、前記凹溝２４の底面(複層ガラス１２の外周面に対向する面)には一対の突片２６,２６が設けられ、前記枠部材２２で保持された複層ガラス１２の外周面に突片２６,２６が弾力的に当接して、左右方向または上下方向の移動を規制するよう機能する(例えば、特許文献２参照)。
【特許文献１】特開平８−６０９４６号公報
【特許文献２】実用新案登録第２６０２３２５号公報
【発明の開示】
【発明が解決しようとする課題】
【０００６】
ところで、前記凹溝２４の幅寸法は、前記枠部材２２の成形誤差等を鑑みて、前記複層ガラス１２の厚さ寸法に対して若干大きくなるよう設定されている。また、前記複層ガラス１２は、複数枚のガラス板１４を重ね合わせて形成されているため、厚さ寸法に多少の誤差が生じる場合がある。すなわち、前記複層ガラス１２の厚さが薄く、これに対し前記凹溝２４の幅寸法が大きく成形された場合、該複層ガラス１２と枠部材２２との間に大きな隙間を生じ、該複層ガラス１２が前後方向にがたつく虞れが指摘される。
【０００７】
すなわちこの発明は、従来の技術に係る扉の枠構造に内在している前記課題に鑑み、これを好適に解決するべく提案されたものであって、枠部材に対して透明体をがたつきなく取付けることができる扉の枠構造を提供することを目的とする。
【課題を解決するための手段】
【０００８】
前記課題を克服し、所期の目的を達成するため、本発明に係る扉の枠構造は、
所要形状の透明体と、該透明体の各辺部が挿入される凹溝が形成された複数の樹脂製の枠部材と、前記透明体の各辺部に外嵌された各枠部材の端部同士を連結するジョイントとから構成される扉の枠構造において、
前記ジョイントは、前記枠部材における凹溝を画成する一方の壁部に外側から当接する第１側部と、該凹溝を画成する他方の壁部の側に位置して、枠部材に固定手段を介して固定される第２側部とを有し、
前記第２側部を枠部材に固定する際に、前記第１側部を他方の壁部側に変位させることで、該第１側部により一方の壁部を他方の壁部に向けて押圧変形させて、前記凹溝に挿入されている透明体の辺部を両壁部により押圧状態で挟持するよう構成したことを特徴とする。
【発明の効果】
【０００９】
本発明に係る扉の枠構造によれば、枠部材とジョイントとを固定手段で固定することで、凹溝を構成する一対の壁部で透明体の辺部を押圧状態で挟持するよう構成したから、各部材の寸法誤差等に起因して該透明体ががたつきを生ずるのを防止することができる。また凹溝の底部に、透明体の外周面に向けて突出する凸部を形成し、枠部材にジョイントを固定した際に該凸部が透明体の外周面に向けて押圧されるよう構成したので、透明体のがたつき発生を更に防止することができる。
【発明を実施するための最良の形態】
【００１０】
透明体の各辺部が凹溝に挿入された状態で配設される各枠部材を連結するジョイントに、前記凹溝を画成する一方の壁部に外側から当接する第１側部と、該凹溝を画成する他方の壁部の側に位置する第２側部とを設け、該第２側部を枠部材に固定手段を介して固定することで枠部材とジョイントとを固定するようにする。そして、第２側部を枠部材に固定する際に、前記第１側部が他方の壁部側に変位することで、該第１側部により一方の壁部を他方の壁部に向けて押圧変形させて、前記凹溝に挿入されている透明体の辺部を両壁部により押圧状態で挟持するよう構成する。
【実施例１】
【００１１】
次に、本発明に係る扉の枠構造につき、好適な実施例を挙げて、添付図面を参照して以下に説明する。なお、説明の便宜上、図４〜図７に示した扉の枠構造の構成要素と同一の要素については、同一の符号を使用して詳細な説明は省略する。なお、扉の前側とは、外界に臨む面を指し、これに対し後側とは図示しない貯蔵庫の内部に臨む面を指す。すなわち、図１では正面が前側であり、図２または図３では、図中下側が前側である。
【００１２】
図１または図２に示すように、実施例１に係るガラス扉(扉)４０における外枠４２は、矩形状の複層ガラス１２における各辺部に対応して配設される４本の枠部材４４と、各枠部材４４,４４を連結するＬ字状のコーナージョイント(ジョイント)５０と、該枠部材４４およびコーナージョイント５０を固定する固定手段としてのネジ３０とから基本的に構成されている。なお、前記複層ガラス１２の構成および複層ガラス１２に外枠４２を組付ける手順は、従来例で示した枠構造と同様である。
【００１３】
前記枠部材４４は、撓曲性を有する合成樹脂製の筒状体であって、その両端が開口した中空部４８を有する略角筒状に形成され、各枠部材４４の長さ寸法は、複層ガラス１２の対応する各辺部に合わせた長さに設定される。また前記枠部材４４には、対応する辺部と対向する内側面において、その長手方向に亘って複層ガラス１２の辺部を挿入し得る幅寸法で凹溝４６が凹設されている。すなわち、前記凹溝４６は、図２に示すように、前記複層ガラス１２の前側に位置する前壁部(一方の壁部)４６ａと、該複層ガラス１２の後側に位置する後壁部(他方の壁部)４６ｂと、両壁部４６ａ,４６ｂの間に位置して複層ガラスの外周面に対向する底部４６ｃとにより画成される。ここで、前記凹溝４６における前壁部４６ａと後壁部４６ｂとの間隔は、前記複層ガラス１２の厚み寸法より若干大きく設定され、該凹溝４６に複層ガラス１２を挿入した際に、該凹溝４６の内壁面(前壁部４６ａまたは後壁部４６ｂの内壁面)と複層ガラス１２との間に隙間Ｔ１が生じるようになっている。更に、前記枠部材４４の端部は、該枠部材４４の長手方向に対して４５°に切り欠いて形成され、各枠部材４４の端部を突き合わせることで、矩形状の前記複層ガラス１２の９０°の角部に合わせて９０°の角部を形成するようになっている。
【００１４】
前記凹溝４６の底部４６ｃには、開口側(複層ガラスの外周面)に向けて突設された一対の突片４７,４７が形成され、該凹溝４６に複層ガラス１２を挿入した際に、該突片４７,４７が複層ガラス１２の外周面に弾力的に当接することで、該複層ガラス１２の上下または左右方向への移動を規制するよう構成される。なお、貯蔵庫の内方に臨む枠部材４４の後壁面４４ｂには、凹溝形成位置から離間する位置に中空部４８に貫通する挿通孔４９が穿設され、該挿通孔４９を介して枠部材４４とコーナージョイント５０とを固定するネジ３０が挿通されるようになっている。
【００１５】
図１に示すように、前記コーナージョイント５０は、矩形状の複層ガラス１２の角部に合わせて９０°に折曲され、外形がＬ字状に形成されている。また、コーナージョイント５０は、断面略コ字状に形成され、基部５１における前端縁から延出する第１側部５２が、後端縁から延出する第２側部５４より長尺に設定されると共に、前記枠部材４４の中空部４８に挿入し得る寸法に設定されている。なお、前記第２側部５４には、前記コーナージョイント５０を枠部材４４に挿入した際に、前記枠部材４４の挿通孔４９と整合するネジ孔５６が螺設されている。
【００１６】
図２に示すように、前記枠部材４４の開口端部からコーナージョイント５０における一方の端部が中空部４８に挿入された際に、第１側部５２が前記凹溝４６を構成する前壁部４６ａに外側(凹溝４６とは反対側)から当接するようになっている。これに対し、前記第２側部５４は、前記枠部材４４における後壁面４４ｂに対向して位置すると共に、この後壁面４４ｂとの間に隙間Ｔ２が生じるよう設定される(図２(ａ)参照)。なお、この隙間Ｔ２は、前記隙間Ｔ１よりも大きくなるよう設定してある。そして、前記枠部材４４とコーナージョイント５０とは、図２(ｂ)に示すように、枠部材４４の挿通孔４９から挿通したネジ３０を、コーナージョイント５０のネジ孔５６に螺挿して該枠部材４４に第２側部５４を締結することで固定されるよう構成される。またこのときに、前記隙間Ｔ２分だけコーナージョイント５０が枠部材４４の後壁面４４ｂ側に変位することで、前記第１側部５２が凹溝４６を構成する後壁部４６ｂ側の変位し、これによって前記前壁部４６ａを後壁部４６ｂ側に向けて押圧変形させるようになっている。
【００１７】
〔実施例１の作用〕
次に、実施例１に係る扉の枠構造の作用について説明する。前記複層ガラス１２の辺部を、前記枠部材４４の凹溝４６に挿入すると、前壁部４６ａと複層ガラス１２との間に隙間Ｔ１が形成される。この枠部材４４にコーナージョイント５０を挿入すると、前記第１側部５２が前壁部４６ａに対して外側から当接すると共に、前記第２側部５４が後壁面４４ｂと対向した状態で配置される(図２(ａ)参照)。このとき、前記後壁面４４ｂと第２側部５４との間には、隙間Ｔ２が設けられると共に、前記枠部材４４の挿通孔４９とコーナージョイント５０のネジ孔５６とが整合する。しかる後に、挿通孔４９から挿通した前記ネジ３０をネジ孔５６に螺挿することで、前記第２側部５４が後壁面４４ｂに引寄せられ、隙間Ｔ２分だけ後側に変位して該後壁面４４ｂに当接する。すなわち、前記第２側部５４の後側への変位に伴って、前記コーナージョイント５０自体が後側に移動し、第１側部５２も前壁部４６ａを後側(後壁部４６ｂ側)に向けて隙間Ｔ２分だけ押圧することとなる。そして、前記第１側部５２の押圧力を受けた前壁部４６ａが撓曲変形して、凹溝４６の幅寸法が狭小状態に移行する。
【００１８】
前述した如く、前壁部４６ａと複層ガラス１２との間に形成される隙間Ｔ１より、第１側部５２が後壁部４６ｂ側に向けて変位する量、すなわち隙間Ｔ２の方が大きく設定されているから、前記隙間Ｔ１は無くなって、前記凹溝４６に挿入されている前記複層ガラス１２の辺部は、図２(ｂ)に示す如く、前壁部４６ａと後壁部４６ｂとにより押圧状態で挟持される。
【００１９】
このように、前記コーナージョイント５０を枠部材４４にネジ３０で固定することで、前記凹溝４６の幅寸法が狭小状態になって該凹溝４６に挿入されている複層ガラス１２の辺部を挟持するため、枠部材４４または複層ガラス１２等に寸法のばらつきがあったとしても、該複層ガラス１２は前後方向に確実に固定することができ、がたつきを生ずることはない。また、予め前記凹溝４６の幅寸法を、前記複層ガラス１２の厚さより大きく設定して隙間Ｔ１が形成されるように構成することで、該凹溝４６に対する複層ガラス１２の挿入が容易となり、組付け作業の作業性を向上させることができる。
【００２０】
また、実施例１に係る枠構造では、前記複層ガラス１２おける辺部の確実な挟持固定について、部品点数を増やすことなく実施することができる。従って、枠構造の組付けに際して、作業工数が増加することは回避される。
【実施例２】
【００２１】
次に、実施例２に係る扉の枠構造について説明する。なお、実施例２に係る扉の枠構造は、実施例１で説明したものと基本的に同一であるので、異なる部分についてのみ説明する。実施例１の枠構造では、図２に示すように、枠部材４４の凹溝４６に突設された突片４７,４７により複層ガラス１２の上下および左右方向の動きを規制して位置決めするよう構成されている。これに対し、実施例２の枠構造における外枠６０では、枠部材６２における凹溝４６の底部４６ｃを、複層ガラス１２の外周面に向けて湾曲させることで、凸部６４を突設している。そして、枠部材６２とコーナージョイント５０とをネジ３０で固定することに伴って、コーナージョイント５０の第１側部５２により前壁部４６ａが後壁部４６ｂに向けて押圧変形するのに連動して底部４６ｃが変形することで、前記凸部６４が複層ガラス１２の外周面に向けて突出し、これにより該凸部６４が複層ガラス１２の外周面に押圧されるよう構成されている(図３(ｂ)参照)
【００２２】
すなわち、実施例２においても、枠部材６２とコーナージョイント５０とをネジ３０で固定するだけで、前記凹溝４６に挿入されている複層ガラス１２の辺部を前後の壁部４６ａ,４６ｂにより押圧状態で挟持でき、前後方向のがたつきなく複層ガラス１２を保持できる。また、凹溝４６の底部４６ｃに形成した凸部６４が複層ガラス１２の外周面に押圧されるから、左右および上下に対向する外周面が、対応する枠部材６２,６２の凸部６４,６４によって夫々押圧されることとなり、外枠６０に対して複層ガラス１２は上下および左右へのがたつきなく保持される。
【００２３】
なお、前記凸部６４を含む底部４６ｃのみを、他の部位とは異なる軟質合成樹脂で一体的に形成し、大きな変形量を確保することで、凸部６４を複層ガラス１２の外周面に強く押圧するようにしてもよい。
【００２４】
各実施例においては、矩形状の複層ガラスの外周縁を保持する枠構造について説明したが、透明体としては単層のガラス板や、アクリル板等の他の部材であってもよい。また各実施例では、ショーケース本体に対して扉を縦向き姿勢で配設して使用する構成として説明したが、上部に物品出し入れ口が開設される貯蔵庫等において、該出し入れ口を開閉するために水平姿勢で配設される扉の枠構造として採用することが可能である。
【図面の簡単な説明】
【００２５】
【図１】本発明の好適な実施例１に係る扉の枠構造を分解して示す概略斜視図である。
【図２】実施例１に係る扉の枠構造の要部を示す平断面図であって、(ａ)は、枠部材にコーナージョイントを挿入した状態を示し、(ｂ)は、枠部材とコーナージョイントとをネジで連結した状態を示す。
【図３】実施例２に係る扉の枠構造の要部を示す平断面図であって、(ａ)は、枠部材にコーナージョイントを挿入した状態を示し、(ｂ)は、枠部材とコーナージョイントとをネジで連結した状態を示す。
【図４】従来のガラス扉を示す概略斜視図である。
【図５】従来のガラス扉の枠構造の要部を示す平断面図である。
【図６】従来のガラス扉の枠構造を分解して示す概略斜視図である。
【図７】従来のガラス扉の枠構造の組立状況を示す概略斜視図である。
【符号の説明】
【００２６】
１２ 複層ガラス(透明体)，３０ ネジ(固定手段)，４４ 枠部材，４６ 凹溝
４６ａ 前壁部(一方の壁部)，４６ｂ 後壁部(他方の壁部)，４６ｃ 底部
５０ コーナージョイント(ジョイント)，５２ 第１側部，５４ 第２突部，６４ 凸部
【図１】
2005068875.tif 000003
【図２】
2005068875.tif 000004
【図３】
2005068875.tif 000005
【図４】
2005068875.tif 000006
【図５】
2005068875.tif 000007
【図６】
2005068875.tif 000008
【図７】
2005068875.tif 000009